(57)【特許請求の範囲】
【請求項１】
複数のＬＥＤ素子が実装された回路基板と、前記回路基板が収容される光透過性ハウジングとを有してなるＬＥＤ照明ユニットにおいて、
前記光透過性ハウジングは、光透過性の合成樹脂材からなり、前端部が塞がれた有底角筒形状をなし、
前記光透過性ハウジングの外表面を覆うように形成され、前記複数のＬＥＤ素子の各ＬＥＤ素子に対向する壁に形成されてなる光出射開口部を有して、前端部が塞がれた有底角筒形状をなす遮光カバーと、
前記複数のＬＥＤ素子の各ＬＥＤ素子から発せられた光が、前記光透過性ハウジングの壁内で導かれて互いに干渉することがないように前記光透過性ハウジングの壁内で導かれる光を該壁の内部で遮る遮光部材と、
を有してなることを特徴とするＬＥＤ照明ユニット。
【請求項２】
前記光透過性ハウジングは、
前記遮光部材の少なくとも一部が挿通されるように該光透過性ハウジングの壁に形成された開口である挿通開口部、あるいは前記遮光部材の少なくとも一部が嵌め込まれるように該光透過性ハウジングの壁に凹状に形成された嵌合凹部を有してなり、
前記遮光部材は、
前記挿通開口部に挿通され、あるいは前記嵌合凹部に嵌め込まれることによって前記光透過性ハウジングに保持固定されることを特徴とする請求項１に記載のＬＥＤ照明ユニット。
【請求項３】
前記遮光部材は、
横断面形状がＴ字状をなし、Ｔ字状の縦線に相当する突出部分であり前記挿通開口部に挿通される挿通凸部、あるいは前記嵌合凹部に嵌め込まれる嵌合凸部と、Ｔ字状の横線に相当する部分であり、前記挿通凸部側、あるいは前記嵌合凸部側の面であり前記光透過性ハウジングの外表面に当接される第一の当接面と、該第一の当接面の裏側の面であり前記遮光カバーの内面に当接される第二の当接面とを有してなる当接部と、
を有してなることを特徴とする請求項２に記載のＬＥＤ照明ユニット。
【請求項４】
前記遮光部材は、
前記複数のＬＥＤ素子の各ＬＥＤ素子の近傍で向かい合う前記光透過性ハウジングの壁に、前記各ＬＥＤ素子を囲うように配置されることを特徴とする請求項１、２、または３に記載のＬＥＤ照明ユニット。
【発明の詳細な説明】
【技術分野】
【０００１】
本発明は、複数のＬＥＤ素子が実装された回路基板と、回路基板が収容される光透過性ハウジングとを有してなるＬＥＤ照明ユニットに関する。
【背景技術】
【０００２】
従来、回路基板上に複数のＬＥＤ素子が設けられ、各ＬＥＤ素子から発せられる光を、照明光として、あるいはオレンジ等の有色の光を発するようにして機器の動作状態を示すようにするようにしたものがある。例えば、特許文献１には、複数のＬＥＤ素子から発せられる光によって、いわゆるインジケータとして機能するようにした車両用表示装置が提案されている。
【先行技術文献】
【特許文献】
【０００３】
【特許文献１】特開平１１−１０１６６４号公報
【発明の概要】
【発明が解決しようとする課題】
【０００４】
特許文献１に記載された車両用表示装置は、文字板に円状または円弧状に配置された目盛と、該目盛に付随する数字、文字または記号等の指標と、前記文字板の各前記目盛に個別に対応するように配置された一または複数の光源と、計測値を基準値とし、該基準値以下の所定の範囲の光源の点灯をさせることにより、計測量に応じた前記所定の範囲の目盛を光輝させることで、前記文字板に前記所定の範囲の表示をする表示制御手段とを備え、前記所定の範囲の表示と、前記文字板の目盛に付随する数字、文字または記号等の指標と協働して計測量を表示している。
【０００５】
しかしながら、特許文献１に記載された車両用表示装置は、各ＬＥＤ素子が各ＬＥＤ素子から発せられる光が干渉しないように遮光板および遮光基部によって個別に仕切られた空間に配置されるようになっているので、各ＬＥＤ素子から発せられた熱が個別の空間内にこもりやすくなり、結果的に、回路基板にかかる熱負荷が大きくなるという問題があった。
【０００６】
本発明は、上記に鑑みてなされたものであって、回路基板上に複数のＬＥＤ素子が設けられる場合においても、光の干渉を低減しつつ、回路基板にかかる熱負荷を低減させることができるＬＥＤ照明ユニットを提供することを目的とする。
【課題を解決するための手段】
【０００７】
上述した課題を解決し、目的を達成するために、本発明の請求項１にかかるＬＥＤ照明ユニットは、複数のＬＥＤ素子が実装された回路基板と、前記回路基板が収容される光透過性ハウジングとを有してなるＬＥＤ照明ユニットにおいて、前記光透過性ハウジングは、光透過性の合成樹脂材からなり、前端部が塞がれた有底角筒形状をなし、前記光透過性ハウジングの外表面を覆うように形成され、前記複数のＬＥＤ素子の各ＬＥＤ素子に対向する壁に形成されてなる光出射開口部を有して、前端部が塞がれた有底角筒形状をなす遮光カバーと、前記複数のＬＥＤ素子の各ＬＥＤ素子から発せられた光が、前記光透過性ハウジングの壁内で導かれて互いに干渉することがないように前記光透過性ハウジングの壁内で導かれる光を該壁の内部で遮る遮光部材と、を有してなることを特徴とする。
【０００８】
また、本発明の請求項２にかかるＬＥＤ照明ユニットは、上記の発明において、前記光透過性ハウジングは、前記遮光部材の少なくとも一部が挿通されるように該光透過性ハウジングの壁に形成された開口である挿通開口部、あるいは前記遮光部材の少なくとも一部が嵌め込まれるように該光透過性ハウジングの壁に凹状に形成された嵌合凹部を有してなり、前記遮光部材は、前記挿通開口部に挿通され、あるいは前記嵌合凹部に嵌め込まれることによって前記光透過性ハウジングに保持固定されることを特徴とする。
【０００９】
また、本発明の請求項３にかかるＬＥＤ照明ユニットは、上記の発明において、前記遮光部材は、横断面形状がＴ字状をなし、Ｔ字状の縦線に相当する突出部分であり前記挿通開口部に挿通される挿通凸部、あるいは前記嵌合凹部に嵌め込まれる嵌合凸部と、Ｔ字状の横線に相当する部分であり、前記挿通凸部側、あるいは前記嵌合凸部側の面であり前記光透過性ハウジングの外表面に当接される第一の当接面と、該第一の当接面の裏側の面であり前記遮光カバーの内面に当接される第二の当接面とを有してなる当接部と、を有してなることを特徴とする。
【００１０】
また、本発明の請求項４にかかるＬＥＤ照明ユニットは、上記の発明において、前記遮光部材は、前記複数のＬＥＤ素子の各ＬＥＤ素子の近傍で向かい合う前記光透過性ハウジングの壁に、前記各ＬＥＤ素子を囲うように配置されることを特徴とする。
【発明の効果】
【００１１】
本発明の請求項１にかかるＬＥＤ照明ユニット１は、複数のＬＥＤ素子が実装された回路基板と、前記回路基板が収容される光透過性ハウジングとを有してなるＬＥＤ照明ユニットにおいて、前記光透過性ハウジングの外表面を覆うように形成され、前記複数のＬＥＤ素子の各ＬＥＤ素子に対向する壁に形成されてなる光出射開口部を有してなる遮光カバーと、前記複数のＬＥＤ素子の各ＬＥＤ素子から発せられた光が、前記光透過性ハウジングの壁内で導かれて互いに干渉することがないように前記光透過性ハウジングの壁内部で導かれる光を該壁の内部で遮る遮光部材と、を有してなるので、前記遮光部材が個別の空間内に各ＬＥＤ素子を囲うことがなく、前記光透過性ハウジングの壁内で光を遮るので、前記回路基板上に複数のＬＥＤ素子が設けられる場合においても、光の干渉を低減しつつ、回路基板にかかる熱負荷を低減させることができる。
【００１２】
本発明の請求項２にかかるＬＥＤ照明ユニットは、前記光透過性ハウジングが前記遮光部材の少なくとも一部が挿通されるように該光透過性ハウジングの壁に形成された開口である挿通開口部、あるいは前記遮光部材の少なくとも一部が嵌め込まれるように該光透過性ハウジングの壁に凹状に形成された嵌合凹部を有してなり、前記遮光部材は、前記挿通開口部に挿通され、あるいは前記嵌合凹部に嵌め込まれることによって前記光透過性ハウジングに保持固定されるので、前記光透過性ハウジングの壁の断面を貫いて、あるいは前記光透過性ハウジングの壁の内部に前記遮光部材が配置されるため、効果的に前記光透過性ハウジングの壁内で導かれる光を遮ることができ、結果的に、前記各ＬＥＤ素子から発せられる光の干渉を効果的に防ぐことができる。
【００１３】
本発明の請求項３にかかるＬＥＤ照明ユニットは、横断面形状がＴ字状をなし、Ｔ字状の縦線に相当する突出部分であり前記挿通開口部に挿通される挿通凸部、あるいは前記嵌合凹部に嵌め込まれる嵌合凸部と、Ｔ字状の横線に相当する部分であり、前記挿通凸部側、あるいは前記嵌合凸部側の面であり前記光透過性ハウジングの外表面に当接される第一の当接面と、該第一の当接面の裏側の面であり前記遮光カバーの内面に当接される第二の当設面とを有してなる当接部と、を有してなるので、前記遮光カバーと前記光透過性ハウジングとの取り付け状態におけるガタツキを防止するとともに、前記光透過性ハウジングの熱を前記遮光カバーに逃がすことができる。
【００１４】
本発明の請求項４にかかるＬＥＤ照明ユニットは、前記遮光部材が、前記複数のＬＥＤ素子の各ＬＥＤ素子の近傍で向かい合う前記光透過性ハウジングの壁に、前記各ＬＥＤ素子を囲うように配置されるので、効果的に前記光透過性ハウジングの壁内で導かれる光を遮ることができ、結果的に、前記各ＬＥＤ素子から発せられる光の干渉を効果的に防ぐことができる。
【図面の簡単な説明】
【００１５】
【図１】図１は、本発明の実施の形態にかかるＬＥＤ照明ユニットの斜視図である。
【図２】図２は、図１に示したＬＥＤ照明ユニットのＡ−Ａ線断面図である。
【図３】図３は、図１に示したＬＥＤ照明ユニットの平面図である。
【図４】図４は、図１に示した遮光部材が取り付けられた光透過性ハウジングの斜視図である。
【図５】図５は、図１に示した遮光部材をテーパー形状にした場合の断面図である。
【図６】図６は、本発明の実施の形態の変形例１のＬＥＤ照明ユニットの要部断面図である。
【図７】図７は、本発明の実施の形態の変形例２のＬＥＤ照明ユニットの要部断面図である。
【図８】図８は、本発明の実施の形態の変形例３のＬＥＤ照明ユニットの要部断面図である。
【発明を実施するための形態】
【００１６】
以下、図面を参照して、この発明にかかるＬＥＤ照明ユニットの好適な実施の形態を詳細に説明する。
【００１７】
（実施の形態）
図１は、本発明の実施の形態にかかるＬＥＤ照明ユニット１の斜視図である。図２は、図１に示したＬＥＤ照明ユニット１のＡ−Ａ線断面図である。図３は、図１に示したＬＥＤ照明ユニット１の平面図である。図４は、図１に示した遮光部材４０が取り付けられた光透過性ハウジング１０の斜視図である。図５は、図１に示した遮光部材４０をテーパー形状にした場合の断面図である。
なお、便宜上、図中の互いに直交する矢印方向を前後左右上下方向とする。
本発明の実施の形態にかかるＬＥＤ照明ユニット１は、光透過性ハウジング１０と、ＬＥＤユニット部２０と、遮光カバー３０と、遮光部材４０とを有してなる。
【００１８】
まず、光透過性ハウジング１０について説明する。
光透過性ハウジング１０は、光透過性の合成樹脂材からなり、前端部１０ａが塞がれた有底角筒形状をなし、内部に後述する回路基板２１が収容されるものである。この光透過性ハウジング１０は、挿通開口部１１を有してなる。挿通開口部１１は、遮光部材４０の少なくとも一部が挿通されるように光透過性ハウジング１０の壁に形成された開口である。
【００１９】
次に、ＬＥＤユニット部２０について説明する。
ＬＥＤユニット部２０は、回路基板２１と、二つのＬＥＤ素子２２と、電線Ｗとを有してなる。
回路基板２１は、いわゆるプリント配線板によって実現され、電源回路等の導体パターンが形成されている。この回路基板２１は、基板表面に複数のＬＥＤ素子が実装されている。また、この実施の形態では、回路基板は、基板上に形成された端子を介して、信号線、あるいは給電線としての３本の電線Ｗに接続されている。各電線Ｗは、半田付け処理等を行うことによって端子２１ａに接続される。
【００２０】
二つのＬＥＤ素子の各ＬＥＤ素子２２は、箱状のパッケージの表面に発光部があり、図示しない電源入力端子が回路基板２１の図示しない電源回路に接続されている。図示しない電源回路は、回路基板２１上に設けられた端子２１ａを介して３本の電線Ｗに接続されている。各ＬＥＤ素子２２は、電源回路を介して電源を供給されることによって点灯するようになっている。
二つのＬＥＤ素子２２のうち、回路基板２１の前側位置に配置されたＬＥＤ素子２２（以下、前側ＬＥＤ素子２２ａと称する。）は、例えば、オレンジ色の光を発し、色の種類によって機器の動作状態を示すための照明として機能するようになっている。すなわち、ＬＥＤ照明ユニット１を、いわゆるインジケータとして機能させるものである。
また、前側ＬＥＤ素子２２ａに比して回路基板２１上の後方位置に配置されたＬＥＤ素子２２（以下、後側ＬＥＤ素子２２ｂと称する。）は、白色光を発するものである。すなわち、ＬＥＤ照明ユニット１を照明装置として機能させるものである。
【００２１】
次に、遮光カバー３０について説明する。
遮光カバー３０は、黒色の合成樹脂からなり、前端部３０ａが塞がれた有底角筒形状をなし、光透過性ハウジング１０の外表面を覆うように形成されてなる。この遮光カバー３０は、二つのＬＥＤ素子２２から発せられた光が遮光カバー３０外に出射されるように形成された開口である二つの光出射開口部３１を有してなる。
この二つの光出射開口部３１の各光出射開口部３１は、回路基板２１上に設けられた各ＬＥＤ素子２２の配置に対応して配置されている。
【００２２】
より具体的には、二つの光出射開口部３１のうち、前側ＬＥＤ素子２２ａの配置に対応して配置された光出射開口部３１（以下、前側光出射開口部３１ａと称する。）は、遮光カバー３０の前壁３０ｂの前側ＬＥＤ素子２２ａと向かい合う位置に配置される。
また、後側ＬＥＤ素子２２ｂの配置に対応して配置された光出射開口部３１（以下、後側光出射開口部３１ｂと称する。）は、遮光カバー３０の上壁３０ｃの後側ＬＥＤ素子２２ｂと向かい合う位置に配置される。
このような遮光カバー３０によって、光透過性ハウジング１０の外表面が覆われることによって、各ＬＥＤ素子２２から発せられた光が光透過性ハウジング１０を透過した後、各ＬＥＤ素子２２に応じて配置された各光出射開口部３１を介して遮光カバー３０の外に出射されるようになっている。
【００２３】
次に、遮光部材４０について説明する。
遮光部材４０は、前側ＬＥＤ素子２２ａおよび後側ＬＥＤ素子２２ｂから発せられた光が、光透過性ハウジング１０によって導光されて干渉することがないように、光透過性ハウジング１０の壁の内部で導かれる光を遮るものである。
この遮光部材４０は、黒色のゴム材等、遮光性を有する材料からなり、光透過性ハウジング１０の壁を貫通して光透過性ハウジング１０に取り付けられている。より具体的には、遮光部材４０は、横断面形状がＴ字状、かつ横方向に延びる直線形状をなし、光透過性ハウジング１０の前壁１０ｂの幅方向の面に取り付けられている。
【００２４】
さらに具体的には、遮光部材４０は、挿通凸部４１および当接部４２を有してなる。
挿通凸部４１は、Ｔ字の横断面形状のうち、縦線に相当する突出部分であり、光透過性ハウジングの挿通開口部１１を貫通して嵌め込まれる部分である。
当接部４２は、Ｔ字状の横線に相当する部分であり、第一の当接面４２ａおよび第二の当接面４２ｂを有してなる。
第一の当接面４２ａは、挿通凸部側の面であり、光透過性ハウジング１０の外表面に当接される。
第二の当接面４２ｂは、第一の当接面４２ａの裏側の面であり遮光カバー３０の内面に当接される。
【００２５】
このような遮光部材４０の光透過性ハウジング１０への取り付けの際、挿通凸部４１が当接部４２の面４２ａが光透過性ハウジング１０の外表面に当接されるまで挿入することによって、挿入部４１が所定の深さで挿通開口部１１に挿通される。これによって、遮光部材４０が光透過性ハウジング１０に保持固定されるようになっている。また、第一の当接面４２ａが、光透過性ハウジング１０の外表面に当接され、第二の当接面４２ｂが遮光カバー３０の内面に当接されるので、遮光部材４０によって遮光カバー３０と光透過性ハウジング１０との取り付け状態におけるガタツキを防止するとともに、光透過性ハウジング１０の熱を遮光カバー３０に逃がすことができるようになっている。
【００２６】
このように、遮光部材４０が光透過性ハウジング１０の前壁１０ｂの幅方向の面に取り付けられることによって、前方側ＬＥＤ素子２２ａおよび後方側ＬＥＤ素子２２ｂから発せされる光が、図２に示すように、光透過性ハウジング１０の壁の内部で導かれて干渉することを防止することができる
また、各ＬＥＤ素子２２が、光透過性ハウジング１０内でＬＥＤ素子２２毎に個別の空間に仕切られることなく回路基板２１上に配置されているため、各ＬＥＤ素子２２から発せられた熱が放熱しやすいようになっている。しかも、遮光部材４０が、光透過性ハウジング１０と、遮光カバー３０とに当接されているので、光透過性ハウジング１０の熱が遮光カバー３０に逃げ易いようになっている。
【００２７】
なお、遮光部材４０の防水性能を高めるために、挿通凸部４１の横断面の縦幅および横幅のそれぞれが、挿通開口部１１の縦幅および横幅のそれぞれに比して大きくなるように設定し、ゴムの弾性を利用して遮光部材４０を挿通開口部１１に挿入するようにすると良い。あるいは、遮光部材４０の防水性能を高めるために、挿通４１部を蛇腹形状にしてもよい。また、遮光部材４０は、図５に示すように、挿通凸部４１がテーパー状に形成されるのが好ましい、このようにテーパー状にすると、遮光部材４０を挿通開口部１１に容易に挿入することができる。
【００２８】
本発明の実施の形態にかかるＬＥＤ照明ユニット１は、複数のＬＥＤ素子２２が実装された回路基板２１と、回路基板２１が収容される光透過性ハウジング１０とを有してなるＬＥＤ照明ユニットにおいて、光透過性ハウジング１０の外表面を覆うように形成され、複数のＬＥＤ素子２２の各ＬＥＤ素子２２に対向する壁３０ａ，３０ｃに形成されてなる光出射開口部３１ａ，３１ｂを有してなる遮光カバー３０と、複数のＬＥＤ素子２２の各ＬＥＤ素子２２から発せられた光が、光透過性ハウジング１０の壁１０ｂ内で導かれて互いに干渉することがないように光透過性ハウジング１０の壁１０ｂの内部に導かれる光を壁１０ｂの内部で遮る遮光部材４０と、を有してなるので、遮光部材４０が個別の空間内に各ＬＥＤ素子２２を囲うことがなく、光透過性ハウジング１０の壁内で光を遮るので、回路基板２１上に複数のＬＥＤ素子２２が設けられる場合においても、光の干渉を低減しつつ、回路基板にかかる熱負荷を低減させることができる。
【００２９】
また、本発明の実施の形態にかかるＬＥＤ照明ユニット１は、光透過性ハウジング１０が遮光部材４０の少なくとも一部が挿通されるように該光透過性ハウジング１０の壁１０ｂに形成された開口である挿通開口部１１を有してなり、遮光部材４０が、挿通開口部１１に挿通されることによって光透過性ハウジング１０に保持固定されるので、光透過性ハウジング１０の壁の断面を貫いて遮光部材４０が配置されるため、効果的に光透過性ハウジング１０の壁内で導かれる光を遮ることができ、結果的に、各ＬＥＤ素子２２から発せられる光の干渉を効果的に防ぐことができる。
【００３０】
また、本発明の実施の形態にかかるＬＥＤ照明ユニット１は、遮光部材４０の横断面形状がＴ字状をなし、Ｔ字状の縦線に相当する突出部分であり挿通開口部１１に挿通される挿通凸部４１と、Ｔ字状の横線に相当する部分であり、挿通凸部４１側面であり光透過性ハウジング１０の外表面に当接される第一の当接面４２ａと、該第一の当接面４２ａの裏側の面であり遮光カバー３０の内面に当接される第二の当接面４２ｂとを有してなる当接部４２と、を有してなるので、遮光カバー３０と光透過性ハウジング１０との取り付け状態におけるガタツキを防止するとともに、光透過性ハウジングの熱を遮光カバーに逃がすことができる。
【００３１】
（変形例１）
次に、図６を用いて本発明の実施の形態の変形例１について説明する。図６は、本発明の実施の形態の変形例１のＬＥＤ照明ユニット１００の要部断面図である。
この変形例１のＬＥＤ照明ユニット１００は、光透過性ハウジング１０に代わって光透過性ハウジング５０を有し、遮光部材４０に代わって遮光部材６０を有してなる点で実施の形態のＬＥＤ照明ユニット１と異なる。
なお、その他の構成は実施の形態と同様であり、実施の形態と同一構成部分には同一符号を付している。
【００３２】
光透過性ハウジング５０は、嵌合開口１１に代わって嵌合凹部５１を有してなる点で透過性ハウジング１０と異なる。
嵌合凹部５１は、遮光部材６０の少なくとも一部が嵌め込まれるように光透過性ハウジング５０の前壁５０ａに凹状に形成された溝部である。
遮光部材６０は、Ｔ字状の縦線に相当する突出部分であり嵌合凹部５１に嵌め込まれる嵌合凸部６１を有してなる。
このようなＬＥＤ照明ユニット１００は、嵌合凸部６１が嵌合凹部に嵌め込まれることによって、遮光部材６０が光透過性ハウジング５０に保持固定されるようになっている。
【００３３】
この変形例１のＬＥＤ照明ユニット１００は、遮光部材６０が二つのＬＥＤ素子２２の各ＬＥＤ素子２２から発せられた光が光透過性ハウジング５０の壁内で導かれて互いに干渉することがないように、光透過性ハウジング５０の壁内部で導かれる光を該壁の内部で遮るので、実施の形態のＬＥＤ照明ユニット１と同様な効果を奏することができる。
【００３４】
（変形例２）
次に、図７を用いて本発明の実施の形態の変形例２について説明する。図７は、本発明の実施の形態の変形例２のＬＥＤ照明ユニット２００の要部断面斜視図である。なお、本発明の実施の形態の変形例２のＬＥＤ照明ユニット２００は、遮光カバー３０が実施の形態のＬＥＤ照明ユニット１と同様であるため、図７では遮光カバー３０の図示を省略している。
この変形例２のＬＥＤ照明ユニット２００は、光透過性ハウジング１０に代わって光透過性ハウジング７０を有し、遮光部材４０に代わって遮光部材８０を有してなる点で実施の形態のＬＥＤ照明ユニット１と異なる。
なお、その他の構成は実施の形態と同様であり、実施の形態と同一構成部分には同一符号を付している。
【００３５】
光透過性ハウジング７０は、嵌合開口１１に代わって嵌合凹部７１を有してなる点で透過性ハウジング１０と異なる。
嵌合凹部７１は、遮光部材８０の少なくとも一部が嵌め込まれるように光透過性ハウジング７０の前壁７０ａに凹状に形成された溝部である。この嵌合凹部７１は、二つのＬＥＤ素子２２の各ＬＥＤ素子２２の近傍で向かい合う光透過性ハウジング７０の壁に、各ＬＥＤ素子２２を囲うように形成されてなる。
遮光部材８０は、複数のＬＥＤ素子２２の各ＬＥＤ素子２２の近傍で向かい合う光透過性ハウジング７０の壁に、各ＬＥＤ素子２２を囲うように配置される。すなわち、遮光部材８０は、複数のＬＥＤ素子２２の各ＬＥＤ素子２２の近傍で向かい合う光透過性ハウジング７０の壁に、各ＬＥＤ素子２２を囲うように形成され、嵌合凸部８１が嵌合凹部７１に嵌め込まれることによって遮光部材８０が光透過性ハウジング７０に保持固定されるようになっている。
【００３６】
この変形例２のＬＥＤ照明ユニット２００は、遮光部材８０によってＬＥＤ素子２２ごとに近傍で向かい合う光透過性ハウジング７０の壁を仕切ることができるので、効果的に光透過性ハウジング７０の壁内で導かれる光を遮ることができ、結果的に、各ＬＥＤ素子２２から発せられる光の干渉を効果的に防ぐことができる。
【００３７】
（変形例３）
次に、図８を用いて本発明の実施の形態の変形例３について説明する。図８は、本発明の実施の形態の変形例３のＬＥＤ照明ユニット３００の要部断面図である。
この変形例３のＬＥＤ照明ユニット３００は、遮光カバー３０に代わって遮光カバー９０を有し、この遮光カバー９０が遮光部材４０の機能を有する点で実施の形態のＬＥＤ照明ユニット１と異なる。
なお、その他の構成は実施の形態と同様であり、実施の形態と同一構成部分には同一符号を付している。
【００３８】
遮光カバー９０は、光透過性ハウジング１０の挿通開口部１１に挿通される挿通凸部９１を有してなる。
挿通凸部９１は、遮光カバー９０の前壁９０ａの内面から突出されてなる。すなわち、この挿通凸部９１は遮光性を有するものである。
このようなＬＥＤ照明ユニット３００は、挿通凸部９１が挿通開口部１１に挿通されることによって、遮光カバー９０が光透過性ハウジング１０に取り付けられるようになっている。すなわち、挿通凸部９１が遮光部材として機能するようになっている。
【００３９】
この変形例３のＬＥＤ照明ユニット３００は、各ＬＥＤ素子から発せられ、光透過性ハウジング１０の壁内で導かれる光を挿通凸部９１によって遮ることができるので、実施の形態のＬＥＤ照明ユニット１と同様な効果を奏することができる。しかも、遮光部材４０を別に組み付ける必要がないので、組み付け作業が容易になる。
また、この変形例３のＬＥＤ照明ユニット３００は、遮光カバー９０と、光透過性ハウジング１０とを２色成形によって一体に成形することができる。
【００４０】
なお、本発明の実施の形態にかかるＬＥＤ照明ユニット１，１００，２００は、遮光部材４０，６０，８０がゴム材であるものを例示したが、これに限らない。すなわち、遮光性を有するもものであれば、その他の材料を用いても良い。例えば、スポンジ材を用いても良い。この場合、スポンジ材の内部の通気孔を介して、光透過性ハウジング１０、５０、７０内の熱を外部に出すことが可能となる。
【００４１】
また、本発明の実施の形態にかかるＬＥＤ照明ユニット１，１００，２００，３００は、前方側ＬＥＤ素子２２ａおよび後方側ＬＥＤ素子２２ｂを有し、前方側ＬＥＤ素子２２ａがオレンジ色の光を発し、後方側ＬＥＤ素子２２ｂが白色光を発するものを例示したが、これに限らない。すなわち、複数のＬＥＤ素子を有してなり、それぞれのＬＥＤ素子が、白色光、あるいは有色の光を発するものであれば、その他の色の光を発するものを用いてもよい。
【００４２】
また、本発明の実施の形態にかかるＬＥＤ照明ユニット１，１００，２００，３００は、前方側ＬＥＤ素子２２ａおよび後方側ＬＥＤ素子２２ｂの二つのＬＥＤ素子２２を有してなるものを例示したが、これに限らない。すなわち、複数のＬＥＤ素子２２を有していればよい。
【００４３】
また、本発明の実施の形態にかかるＬＥＤ照明ユニット１，１００，２００，３００は、遮光部材４０，６０，８０が光透過性ハウジング１０，５０，７０の前壁１０ｂ、５０ａ、７０ａに配置されるものを例示したが、これに限定されない。すなわち、複数のＬＥＤ素子２２の各ＬＥＤ素子２２から発せられた光が、光透過性ハウジングの壁内で導かれて互いに干渉することがないように光透過性ハウジングの壁内で導かれる光を該壁の内部で遮るように配置されていれば、光透過性ハウジングのその他の壁に配置されても良い。例えば、光透過性ハウジングの上壁に配置されてもよい。
【００４４】
以上、本発明者によってなされた発明を、上述した発明の実施の形態に基づき具体的に説明したが、本発明は、上述した発明の実施の形態に限定されるものではなく、その要旨を逸脱しない範囲において種々変更可能である。
【符号の説明】
【００４５】
１、１００、２００、３００  ＬＥＤ照明ユニット
１０、５０、７０  光透過性ハウジング
１０ａ    前端部
１０ｂ、５０ａ、７０ａ  前壁
１０ｃ、５０ｂ、７０ｂ  上壁
１１      挿通開口部
２０      ＬＥＤユニット部
２１      回路基板
２１ａ    端子
２２      ＬＥＤ素子
２２ａ    前側ＬＥＤ素子
２２ｂ    後側ＬＥＤ素子
３０、９０  遮光カバー
３０ａ    前端部
３０ｂ、９０ａ  前壁
３０ｃ，９０ｂ  上壁
３０ｄ    内面
３１      光出射開口部
３１ａ    前側光出射開口部
３１ｂ    後側光出射開口部
４０、６０、８０  遮光部材
４１、９１  挿通凸部
４２      当接部
４２ａ    第一の当接面
４２ｂ    第二の当接面
５１、７１  嵌合凹部
６１、８１  嵌合凸部
Ｗ        電線
【図１】
0005701668.tif 000002
【図２】
0005701668.tif 000003
【図３】
0005701668.tif 000004
【図４】
0005701668.tif 000005
【図５】
0005701668.tif 000006
【図６】
0005701668.tif 000007
【図７】
0005701668.tif 000008
【図８】
0005701668.tif 000009